(57)【要約】【課題】引戸等の板状対象物を前後移動，左右移動させる案内装置の構造を簡略化する。【解決手段】引戸３の上縁部と下縁部にそれぞれローラ１５，２５が設けられている。主ガイド手段５０は、引戸３が閉じ位置と開き準備位置との間で移動する過程で、ローラ１５を引戸３の荷重を担いながら案内する。ローラ２５は支持金具２０を介して引戸３に取り付けられている。支持金具２０には突起が形成されている。副ガイド手段７２は傾斜したガイド溝７２ｂを有しており、引戸が閉じ位置と開き準備位置との間で移動する過程で、支持金具２０の突起を案内する。主ガイド手段５０には主レールが連なり、副ガイド手段７２には副レールが連なっている。引戸が開き準備位置から開き位置に移動する過程で、上記ローラ１５、２５がそれぞれ主レール，副レールに案内される。【選択図】  図２
2004332352.tif 000002
【特許請求の範囲】
【請求項１】
本体に対して板状対象物を、セット位置とこのセット位置の前方または後方の準備位置との間、およびこの準備位置とその左または右の非セット位置との間で案内する案内装置において、
（イ）上記板状対象物の上縁部，下縁部のいずれか一方に設けられた主走行体と、他方に設けられた被案内部材と、
（ロ）上記本体に設置され、上記板状対象物がセット位置にある時に上記主走行体を板状対象物の荷重を担いながら支持し、板状対象物がセット位置と準備位置との間で移動する過程で上記主走行体を案内する主ガイド手段と、
（ハ）上記主ガイド手段に連なるようにして配置され、上記板状対象物が準備位置と非セット位置との間で移動する過程で、上記主走行体を板状対象物の荷重を担いながら案内する主レールと、
（ニ）上記本体に設置され、板状対象物がセット位置と準備位置との間で移動する際に、上記被案内部材を案内する副ガイド手段と、
（ホ）上記副ガイド手段に連なるようにして配置され、上記板状対象物が準備位置と非セット位置との間で移動する過程で、上記被案内部材を案内する副レールと、
を備え、上記被案内部材と副ガイド手段の一方は、左右の少なくとも一方に突出する突起を有し、上記被案内部材と副ガイド手段の他方は、上記板状対象物がセット位置と準備位置との間で移動する過程で上記突起を案内するガイド溝を有することを特徴とする板状対象物の案内装置。
【請求項２】
上記被案内部材が上記突起を有し、上記副ガイド手段が上記ガイド溝を有する少なくとも１つのガイド部材を含んでいることを特徴とするし絵九項１に記載の板状対象物の案内装置。
【請求項３】
上記被案内部材は、上記副レールに形成された案内溝内を走行する副走行体と、この副走行体を支持する走行体支持部材とを有し、この走行体支持部材に上記突起が設けられていることを特徴とする請求項２に記載の板状対象物の案内装置。
【請求項４】
上記主ガイド手段は、板状対象物がセット位置と準備位置との間で移動する過程で、上記主走行体を上下方向にも変位するように案内し、上記ガイド部材のガイド溝は、この上下方向の変位に対応する傾斜部を有していることを特徴とする請求項２または３に記載の板状対象物の案内装置。
【請求項５】
上記主ガイド手段は、板状対象物がセット位置と準備位置との間で移動する過程で、上記主走行体を円弧軌跡を描くように案内し、上記ガイド部材のガイド溝の傾斜部は、直線的に延びていることを特徴とする請求項４に記載の板状対象物の案内装置。
【請求項６】
上記被案内部材は垂直部を有し、この垂直部の先端部に上記突起が形成されており、上記ガイド部材には、ガイド溝に連なるとともに下方または上方に開口する切欠が形成されており、板状対象物が準備位置にある時上記突起がこの切欠に収容され、板状対象物が準備位置から非セット位置に向かう際に、上記被案内部材の垂直部がこの切欠を通ることを特徴とする請求項２〜５のいずれかに記載の板状対象物の案内装置。
【請求項７】
上記ガイド溝は上記傾斜部に連なる垂直部を有し、板状対象物がセット位置にある時、被案内部材の突起がこの垂直部に収容されることを特徴とする請求項２〜６のいずれかに記載の板状対象物の案内装置。
【請求項８】
上記板状対象物が複数装備され、全ての板状対象物がセット位置にあって左右に並べられている時に面一をなし、上記被案内部材は、板状対象物がセット位置にある時に上記副レールと連続するレール部分を有していることを特徴とする請求項１〜７のいずれかに記載の板状対象物の案内装置。
【請求項９】
上記本体に開口部が形成されており、上記板状対象物は、セット位置にある時にこの開口部を閉じ、非セット位置にある時にこの開口部を開くことを特徴とする請求項１〜８のいずれかに記載の板状対象物の案内装置。
【発明の詳細な説明】
【０００１】
【発明の属する技術分野】
本発明は、１つまたは複数の板状対象物を案内する装置に関する。
【０００２】
【従来の技術】
引戸式の開閉装置には、引戸（板状対象物）を閉じ位置（セット位置）からその前方又は後方の開き準備位置（準備位置）まで移動させ、この開き準備位置から左右の少なくともいずれか一方向の開き位置（非セット位置）へと移動させることにより上記開口部を開くようにしたものがある。
【０００３】
特開平７−２６９２１７号公報には、家屋の窓に用いられる開閉装置が開示されている。この開閉装置は、２枚の同一形状の戸により構成されている。一方の戸は窓の右側に移動不能に固定されている。他方の戸は引戸として提供され、左右に移動可能となっていて、固定戸に隣接する開口部を開閉する。引戸が閉じ位置にある時、固定戸と面一をなして良好な外観を提供する。開口部を開く際には、引戸を閉じ位置から開き準備位置まで引出し、それから右方向の固定戸に重なった開口位置まで移動する。これとは逆に開口部を閉じる際には、引戸を上記開口位置から上記開き準備位置まで左方向に移動し、それから押し込んで固定戸と面一をなす閉じ位置まで移動する。このような引戸の動きを得るための開閉装置は、窓の上下縁に設けられたレールと、これらレールを走行する上下の走行体と、引戸の上下縁と上記走行体とをそれぞれ連結するパンタグラフ機構とを備えている。引戸が閉じ位置にある時にはパンタグラフ機構は折り畳まれている。引戸が引出されるとパンタグラフ機構が伸び、この伸び状態のパンタグラフ機構に保持されて引戸は開き位置へ移動される。
【０００４】
実公昭５９−２６０６６号公報には、３枚の引戸を有する家具が開示されている。左右の引戸は、上下に配置された第１軌道に案内されて移動し、対応する開口部を開閉する。中央の引戸は、上下に配置された第２軌道に案内されて移動し、対応する開口部を開閉する。第２軌道は第１軌道と平行をなし、第１軌道より奥に位置している。第２軌道を走行する上下の走行体と中央の引戸の上下縁とはパンタグラフ機構を介してそれぞれ連結されている。中央の引戸が左右の引戸と面一をなして閉じているとき、パンタグラフ機構は伸びている。中央の引戸を押して後退させると、パンタグラフ機構が折り畳まれ、この引戸の左右の開き位置への移動が可能となる。
【０００５】
【特許文献１】
特開平７−２６９２１７号公報（図１，図２）
【特許文献２】
実公昭５９−２６０６６号公報（図１）
【０００６】
【発明が解決しようとする課題】
上記特開平７−２６９２１７号，実公昭５９−２６０６６号公報に開示された開閉装置では、引戸の上下縁にパンタグラフ機構が介在されており、構造が複雑であった。
【０００７】
【課題を解決するための手段】
上記課題を解決するため、本発明は、本体に対して板状対象物を、セット位置とこのセット位置の前方または後方の準備位置との間、およびこの準備位置とその左または右の非セット位置との間で案内する案内装置において、
（イ）上記板状対象物の上縁部，下縁部のいずれか一方に設けられた主走行体と、他方に設けられた被案内部材と、
（ロ）上記本体に設置され、上記板状対象物がセット位置にある時に上記主走行体を板状対象物の荷重を担いながら支持し、板状対象物がセット位置と準備位置との間で移動する過程で上記主走行体を案内する主ガイド手段と、
（ハ）上記主ガイド手段に連なるようにして配置され、上記板状対象物が準備位置と非セット位置との間で移動する過程で、上記主走行体を板状対象物の荷重を担いながら案内する主レールと、
（ニ）上記本体に設置され、板状対象物がセット位置と準備位置との間で移動する際に、上記被案内部材を案内する副ガイド手段と、
（ホ）上記副ガイド手段に連なるようにして配置され、上記板状対象物が準備位置と非セット位置との間で移動する過程で、上記被案内部材を案内する副レールと、
を備え、上記被案内部材と副ガイド手段の一方は、左右の少なくとも一方に突出する突起を有し、上記被案内部材と副ガイド手段の他方は、上記板状対象物がセット位置と準備位置との間で移動する過程で上記突起を案内するガイド溝を有することを特徴とする。
【０００８】
上記構成によれば、板状対象物の一方の縁部に設けられた被案内部材を案内するための構成を簡略化することができるとともに安定した案内作用を行うことができる。上記構成において好ましくは、上記被案内部材が上記突起を有し、上記副ガイド手段が上記ガイド溝を有する少なくとも１つのガイド部材を含む。
【０００９】
好ましくは、上記被案内部材は、上記副レールに形成された案内溝内を走行する副走行体と、この副走行体を支持する走行体支持部材とを有し、この走行体支持部材に上記突起が設けられている。これによれば、副ガイド手段に案内される突起と、副レールに案内される走行体とを別部材にして、それぞれの案内に適したものを用いることができる。
【００１０】
好ましくは、上記主ガイド手段は、板状対象物がセット位置と準備位置との間で移動する過程で、上記主走行体を上下方向にも変位するように案内し、上記ガイド部材のガイド溝は、この上下方向の変位に対応する傾斜部を有している。板状対象物が上下の変位は上記ガイド溝の傾斜部で前後方向の変位に変換されるので、セット位置と準備位置との間の移動を安定して行うことができる。
【００１１】
好ましくは、上記主ガイド手段は、板状対象物がセット位置と準備位置との間で移動する過程で、上記主走行体を円弧軌跡を描くように案内し、上記ガイド部材のガイド溝の傾斜部は、直線的に延びている。これによれば、板状対象物の縁部を直線的な傾斜部に沿って安定して案内することができる。
【００１２】
好ましくは、上記被案内部材は垂直部を有し、この垂直部の先端部に上記突起が形成されており、上記ガイド部材には、ガイド溝に連なるとともに下方または上方に開口する切欠が形成されており、板状対象物が準備位置にある時上記突起がこの切欠に収容され、板状対象物が準備位置から非セット位置に向かう際に、上記被案内部材の垂直部がこの切欠を通る。これによれば、板状対象物が準備位置にある時も、切欠と突起との係合により板状対象物の前後のふれを確実に防止することができる。
【００１３】
好ましくは、上記ガイド溝は上記傾斜部に連なる垂直部を有し、板状対象物がセット位置にある時、被案内部材の突起がこの垂直部に収容される。これによれば、板状対象物がセット位置にある時に、上記突起とガイド溝の垂直部の係合により、板状対象物を安定して保持できる。
【００１４】
上記板状対象物が複数装備され、全ての板状対象物がセット位置にあって左右に並べられている時に面一をなす構造を採用する場合、上記被案内部材は、板状対象物がセット位置にある時に上記副レールと連続するレール部分を有している。これにより、このレール部分は他の板状対象物の被案内部材を案内することができる。
【００１５】
本発明は窓や家具等の開閉装置として用いることができる。すなわち、上記本体に開口部が形成されており、上記板状対象物は、セット位置にある時にこの開口部を閉じ、非セット位置にある時にこの開口部を開く。
【００１６】
【発明の実施の形態】
以下、本発明の第１実施形態について、図１〜図１５を参照しながら説明する。図１に示すパーティションは、持ち運び可能であり部屋等の空間を仕切るために用いられる。パーティションは、横長の長方形のフレーム１（本体）を有している。このフレーム１の左右の枠部１ａ，１ｂは下方に延びて支柱となり、その下端に固定されたベース（図示しない）が床に載置されるようになっている。
【００１７】
フレーム１により形成された長い開口２は、複数の、例えば４枚の引戸３（板状対象物）を左右に並べることにより閉じられるようになっている。これら引戸３は同一寸法の縦長の四角形をなす平板からなり、その前面には、把手３ａが取り付けられている。この把手３ａに手を入れて引戸３を閉じ位置（セット位置）から前方の開き準備位置（準備位置）までに引き出した後、左右に移動させて開くようになっている。開口２において、各引戸３に対応する領域を開口部２ｘと称す。４つの開口部２ｘは連続している。本実施形態では、引戸３はフレーム１の左端から右端まで移動可能である。
【００１８】
図２，図３に示すように、引戸３の上縁部の左右端には、支持金具１０（走行体支持部材，レール部材）が取り付けられており、その下縁部の中央にも支持金具２０（走行体支持部材）が取り付けられている。これら金具１０，２０については、後で詳細に説明する。
【００１９】
図１に示すように、フレーム１の上枠部１ｃ（開口部の上縁部）の上面には、各開口部２ｘに対応して左右一対の支持金具３０が取り付けられている。図４，図５に示すように、この支持金具３０は、閉じ状態の引戸３の上縁部の左右端より所定間隔離れてその内側に配置されており、上枠部１ｃに沿って水平に延びる円柱部３１を有している。図８に示すように、この円柱部３１は上枠部１ｃの前方かつ上方に位置しており、その軸心が上枠部１ｃの上面から突出する量を符号Ｐで示し、上枠部１ｃの前面から突出する量を符号Ｑで示す。
【００２０】
図１，図４に示すように、各開口部２ｘに対応する左右の支持金具３０の円柱部３１間には、パイプ３５が掛け渡されている。図１１，図１２に最も良く示すように、このパイプ３５は円柱部３１と外径が等しく、その両端が円柱部３１の端面に形成された凸部３１ａに嵌め込まれて支持されている。左右一対の円柱部３１とパイプ３５は、各開口部２ｘに対応してフレーム１に固定された直線状の固定レール３９として提供され、その上面部分が固定軌道３９ｘ（符号３９ｘは図４，図５にのみ示す）として提供される。各固定レール３９は、開口部２ｘの上縁部の左右端部を除く領域を占めており、４つの固定レール３９は同一直線上に配置されている。
【００２１】
図４，図１２に示すように、上記左右の支持金具３０間には、パイプ３５と平行をなしパイプ３５よりも後方に位置する連動シャフト４０が、掛け渡されている。詳述すると、支持金具３０は円柱部３１の後方に筒部３２を有しており、この筒部３２の内部空間は、軸受孔３２ａおよび収容孔３２ｂを軸方向に連ねることにより構成されている。連動シャフト４０は、断面円形をなす細長い基部４０ａと、その両端部から同軸に延びる断面非円形の連結部４０ｂとを有している。連動シャフト４０の基部４０ａの端部は、上記支持金具３０の軸受孔３２ａ，収容孔３２ｂを貫通し、軸受孔３２ａにおいて軸受により回動可能に支持されている。
【００２２】
左右の支持金具４０には、図１１に示すように回動リンク５０（回動部材，主ガイド手段）が隣接しており、これら左右の回動リンク５０は各開口部２ｘの上縁部の左右端部に配置されている。上記連動シャフト４０の左右の連結部４０ｂは左右の支持金具３０から突出しており、この連結部４０ｂに、上記回動リンク５０の基端部に形成された係合孔５０ａが嵌め込まれている。図７参照。これにより、左右の回動リンク５０は、連動シャフト４０を介して同時に前後方向に回動するようになっている。この回動リンク５０の回動軸線は、左右に水平に延び、上記固定レール３９と平行をなしている。
【００２３】
図４，図９に示すように、回動リンク５０は縦断面がＬ字形をなし、その先端には円筒形状をなすレール部分５１が一体に形成されている。このレール部分５１は、固定レール３９と外径が等しいがこれより短く形成され、固定レール３９と平行をなしている。このレール部分５１の周方向に互いに隣接する面部分がそれぞれ補助軌道５１ｘおよび支持面５１ｙとして提供される。図７参照。
【００２４】
上記回動リンク５０が第１回動位置と第２回動位置との間で回動することにより、上記レール部分５１はフレーム１の上枠部１ｃの真上の第１位置（図４，図７（Ａ）に示す）と、第１位置より前方かつ下方の第２位置（図７（Ｂ）に示す）との間で移動されるようになっている。レール部分５１は第１位置において支持面５１ｙが上面部分となり、第２位置において補助軌道５１ｘが上面部分となって固定レール３９の固定軌道３９ｘと同一直線をなす。
【００２５】
図７に示すように、上記回動リンク５０は、上記支持金具３０の収容孔３２ｂに収容されたねじりバネ５５（付勢手段）により、常に後方へすなわち回動リンク５０が第１回動位置になるように回動付勢されている。このねじりバネ５５の一端は、支持金具３０の収容孔３２ｂに連なる係止溝３２ｃに係止され、他端は回動リンク５０の側面に形成された係止溝５０ｃに入り込んでいる。係止溝５０ｃは円弧形状をなしており、この係止溝５０ｃには、回動リンク５０にねじ込まれた調節ねじ５６の先端が臨むようになっている。この調節ねじ５６の先端に上記ねじりバネ５５の他端が当たっており、調節ねじ５６のねじ込み量により、ねじりバネ５５の弾性力が調節されるようになっている。
【００２６】
上記回動リンク５０が第２回動位置にある時、この回動リンク５０の回動は図１１，図１２に示す維持手段６０により禁じられる。この維持手段６０は、各開口部２ｘに対応する一対の回動リンク５０のうち、左側の回動リンク５０に設けられている。詳述すると、回動リンク５０の円筒形状をなすレール部分５１には、係止ロッド６１が収容されている。また、上記回動リンク５０の上面には収容凹部５０ｄが形成され、この収容凹部５０ｄには、板形状のスライダ６２が前後方向にスライド可能に収容されるとともに、このスライダ６１を前方へ付勢する圧縮コイルばねからなる押圧ばね６３が収容されている。なお、スライダ６１は上記レール部分５１に形成された長孔５１ａ，および係止ロッド６１に形成された長孔６１ａを貫通して、レール部分５１の前方に突出している。スライダ６２の前端縁は円弧形をなしており、この前端縁が図１１（Ａ）に示すように、引戸３の支持金具１０の後面に形成された球面形状の係合面１０ａに係合するようになっている。
【００２７】
上記係止ロッド６１とスライダ６２はカム機構６５を介して連結されている。このカム機構６５は、スライダ６２に形成されたカム孔６６と、係止ロッド６１に設けられてカム孔６６と係合するフォロアピン６７とを含んでいる。カム孔６６は、前後方向に延びる第１部分６６ａとこの第１部分６６ａの後端から斜め後方に延びる第２部分６６ｂとを有している。なお、上記フォロアピン６７は、レール部分５１に形成された軸方向に延びる長孔５１ｂにも入り込んでおり、これにより係止ロッド６１は軸方向移動を可能にしながら回動を禁じられている。
【００２８】
上記係止ロッド６１は、スライダ６２の移動に伴い、レール部分５１に対して進退し、上記支持金具３０の円柱部３１の端面に形成された係止凹部３１ｂに対して係合したり係合解除されるようになっている。詳しくは後述する。
【００２９】
他方、上記フレーム１の下枠部１ｄ（開口部の下縁部）の下面には、図１（Ｃ）に示すように、複数の副レール７０（レール手段）が下枠部１ｄに沿って水平に同一直線上に取り付けられている。これら副レール７０は、各開口部２ｘの中央で、間隙７１を介して離間しており、この間隙７１に臨む端面にはガイド板７２（ガイド部材，副ガイド手段）が固定されている。副レール７０は、図１４（Ａ）に示すように下面に開口する案内溝７０ａ（副軌道）を有している。案内溝７０ａの両側面は垂直をなしている。図１３，図１４（Ｂ）に示すように、上記ガイド板７２は、上記副レール７０の案内溝７０ａと同形状をなしてこの案内溝７０ａに連なる切欠７２ａを有している。
【００３０】
図１４（Ｂ）に示すように、上記ガイド板７２の間隙７１側の面は垂直で副レール７０と直交するガイド面７２ｘとなっており、このガイド面７２ｘには、前方に向かうにしたがって下方に進む直線状の傾斜溝７２ｂ（ガイド溝）が形成されている。この傾斜溝７２ｂの下端は、垂直に延びる短い切欠７２ｃに連なっている。この切欠７２ｃはガイド板７２の下縁に抜けている。なお、この傾斜溝７２ｂは、ガイド板７２の厚み方向に貫通していないが、貫通してスリット形状をなしていてもよい。
【００３１】
次に、引戸３の上縁部の左右端部に取り付けられた一対の支持金具１０について図２〜図７を参照しながら説明する。この支持金具１０は、その下部が引戸３の裏面に固定され、その中間部の前面にはレール部分１１が一体に形成されている。このレール部分１１は上記レール部分５１と平行をなすとともに、等しい長さを有している。このレール部分１１の上面部分が付加軌道１１ｘとして提供される。図４，図５，図７参照。支持金具１０の上部の後面側には、上下に離れたローラ１５，１６（主走行体）が回転可能に支持されている。ローラ１５の外周は断面円弧の嵌合溝１５ａを有してレール部分５１，固定レール３９に嵌合可能となっている。正面から見て左側の支持金具１０の後面には、ローラ１５，１６間に前述した係合面１０ａが形成されている。右側の支持金具１０はこの係合面１０ａを有していない。
【００３２】
次に、引戸３の下縁部の中央に形成された支持金具２０について、図１３，図１４（Ｃ），図１５を参照しながら説明する。支持金具２０は、引戸３の後面に固定された垂直をなす板形状の固定部２０ａと、この固定部２０ａの中央から水平に後方へ延びる水平部２０ｂとこの水平部２０ｂの後端から起立する起立部２０ｃ（垂直部）とこの起立部２０ｃの上端から左右に突出する一対の突起２９ｄと、レール部分２０ｅとを有している。このレール部分２０ｅには、上記副レール７０の案内溝７０ａと同形状の案内溝２０ｆが形成されている。
上記支持金具２０の水平部２０ｂの上面には垂直の回転軸を有するローラ２５（副走行体）が回転可能に取り付けられている。これら支持金具２０とローラ２５により被案内部材が構成されている。
【００３３】
上記構成をなす開閉装置の作用を説明する。最初に図１（Ａ）に示すように、４つの開口部２ｘの全てが引戸３によって閉じられた状態について説明する。この状態では、引戸３の上下縁部がフレーム１の上枠部１ｃ，下枠部１ｄに当接するか僅かな隙間を介して接近しており、左右に並べられた全ての引戸３の前面が同一垂直面上に位置し、面一をなしている。
【００３４】
引戸３が閉じ位置にある時、支持金具１０の上側のローラ１５は、回動リンク５０のレール部分５１の支持面５１ｙに乗っており、これにより引戸３は一対の回動リンク５０により吊り下げ支持されている。下側のローラ１６はレール部分５１の下面に接するか僅かな隙間を介して対峙している。
【００３５】
回動リンク５０は、ねじりバネ５５の弾性力により後方に付勢されており、これにより、図２（Ａ），図７（Ａ）に示すように回動リンク５０のレール部分５１は、フレーム１の上枠部１ｃの上方の第１位置を維持されている。なお、回動リンク５０の後方への回動は、上枠部１ｃにおいて回動リンク５０の後方に設置された図示しないストッパにより阻止されている。なお、回動リンク５０の後方への回動を、引戸３がフレーム１に当たることにより阻止するようにしてもよい。
【００３６】
図１（Ａ）に示すように全ての引戸３が閉じた状態では、支持金具１０のレール部分１１が、フレーム１に固定された固定レール３９と同一直線をなしており、これら複数のレール部分１１の付加軌道１１ｘと複数の固定レール３９の固定軌道３９ｘとで、一直線をなす連続軌道Ｍが構築されている。図５参照
【００３７】
引戸３が閉じ位置にある時、引戸３の下縁部の中央に設けられた支持金具２０は、一対のガイド板７２間に収容されている。支持金具２０の左右の突起２９ｄは、間隙７１を挟んで対峙する左右のガイド板７２の傾斜溝７２ｂの上端近傍に位置し、これにより引戸３の下縁部の前後方向の揺れを禁じている。また、支持金具２０のレール部分２０ｅの案内溝２０ｆは、ガイド板７２の切欠７２ａと一致し、この切欠７２ａを介して副レール７０の案内溝７０ａに連なっている。
【００３８】
次に、選択した１つの引戸３、例えば左から２番目の引戸３の開き動作について説明する。図１（Ｂ），図２（Ｂ），図６，図７（Ｂ）に示すように、当該引戸３を把手３ａを掴んで前方の開き準備位置へ引き出す。この際、引戸３のローラ１５と回動リンク５０のレール部分５１の係合を介し、回動リンク５０がねじりバネ５５に抗して前方へ回動される。これにより、引戸３のレール部分１１が固定レール３９から外れ、その代わりに回動リンク５０のレール部分５１が第２位置に達して固定レール３９と同一直線をなす。回動リンク５０が第１回動位置から第２回動位置に回動するのに伴って、ローラ１５を支持するレール部分５１の上面部分は支持面５１ｙから補助軌道５１ｘに変わる。
【００３９】
１枚の引戸３が開き準備位置にある時、一直線をなす連続軌道Ｍは、４本の固定レール３９の固定軌道３９ｘと、開き準備位置にある上記引戸３に対応する２本のレール部分５１の補助軌道５１ｘと、他の３枚の引戸３のレール部分１１の付加軌道１１ｘとで、構築されることになる。なお、回動リンク５０のさらなる前方への回動は、上枠部１ｃにおいて回動リンク５０の前方に設置されたストッパ（図示しない）により阻止される。
【００４０】
引戸３は閉じ位置から開き準備位置まで回動リンク５０に支持されながら移動する際、下方にも変位する。これに伴い、支持金具２０がガイド板７２のガイド面７２ｘに案内され、支持金具２０の左右一対の突起２９ｄは、左右のガイド板７２の傾斜溝７２ｂに沿って斜め前方へと移動し、切欠７２ｃに達する。このようにして、引戸３は下縁部が安定して開き準備位置まで移動できる。引戸３が開き準備位置に達し、支持金具２０の突起２９ｄが切欠７２ｃに入り込んだ時に、支持金具２０のローラ２５は、ガイド板７２の案内溝７２ａに対応する位置になり、支持金具２０のレール部分２０ｅは、副レール７０から外れる。
【００４１】
次に引戸３を開き準備位置から左右いずれかの開き位置へと移動させる。この際、支持金具１０のローラ１５は、回動リンク５０のレール部分５１の補助軌道５１ｘから離れる。図１（Ｃ）に示すように引戸３を右に移動させた場合には、右側の上部金具１５のローラ１５は、右隣の引戸３の支持金具１０におけるレール部分１１の付加軌道１１ｘに乗り移り、さらに固定レール３９の固定軌道３９ｘへと移る。左側の支持金具１０のローラ１５は、レール部分５１の補助軌道５１ｘから固定レール３９の固定軌道３９ｘへと乗り移る。このことから明らかなように、固定軌道３９ｘと、閉じ状態の引戸３の付加軌道１１ｘにより、開き動作する引戸３のための主軌道１００（主レール）が構成されている。また、上記固定レールや支持金具１０は、この主軌道１００を有するレール手段となる。
【００４２】
なお、本明細書で各引戸３の開き位置とは、引戸３が開口部２ｘを部分的に開いた位置から、左右端の他の引戸３に重なった位置までの範囲における任意の位置を言う。
【００４３】
上記のように引戸３を開き準備位置から左右の開き位置へと移動させる際に、上記回動リンク５０のレール部分５１は、固定レール３９と同一直線をなす位置を維持される。詳述すると、引戸３が閉じ位置にあり、左右の回動リンク５０のレール部分５１に左右の支持金具１０のローラ１５が係合している状態では、図１１（Ａ）に示すように、左側の回動リンク５０に設けられた維持手段６０のスライダ６２の前端縁が支持金具１０の係合面１０ａに当たっており、圧縮コイルばね６３に抗して後退された位置にある。この時、係止ロッド６６のフォロアピン６７がスライダ６２のカム孔６６の第１部分６６ａと第２部分６６ｂとの交差部に位置しており、係止ロッド６１はレール部分５１の端面とほぼ面一をなす後退位置にある。
【００４４】
引戸３が開き準備位置まで移動しても、上記維持手段６０は上記の状態を維持される。引戸３が開き準備位置から左右いずれかに移動すると、図１１（Ｂ）に示すように、支持金具１０の押圧面１０の左右いずれかの縁部がスライダ６２を一時的に押し込み、フォロアピン６７は一時的にスライダ６２のカム孔６６の第１部分６６ａの前端位置に達する。さらに引戸３を移動させると、図１１（Ｃ）に示すように、上記スライダ６２が支持金具１０の係合面１０ａによる押圧状態を解除されて前方へ突出する。これに伴いフォロアピン６７がカム孔６６の第１部分６６ａから第２部分６６ｂに沿って相対的に移動し、この第２部分６６ｂの後端に至る。この過程で、係合ロッド６１がレール部分５１の端面から突出し、支持金具３０の円柱部３１の端面に形成された係止凹部３１ｂに嵌り込む。その結果、左側の回動リンク５０のレール部分５１は、固定レール３９と同軸に維持される。なお、右側の回動リンク５０は左側の回動リンク５０と連動シャフト４０を介して連結されているため、右側の回動リンク５０のレール部分５１も、固定レール３９と同軸に維持される。
【００４５】
その結果、１つの引戸３が開き位置に向かって移動しても、この引戸３に対応する回動リンク５０の補助軌道５１ｘが連続軌道Ｍの一部となって残り、引戸３は連続軌道Ｍの端から端まで自由に移動することができ、引戸３の荷重は連続軌道Ｍにおいてローラ１５が乗っている部位で受け止めることができる。
【００４６】
引戸３が開き準備位置から左右いずれかの開き位置に移動する際、支持金具２０のローラ２５は、ガイド板７２の切欠７２ａを経て副レール７０の案内溝７０ａに入り込み、この案内溝７０ａに沿って走行する。なお、引戸３が開き準備位置と開き位置にある時、支持金具２０はガイド板７２の拘束を脱する。支持金具２０のローラ２５は、他の引戸３の支持金具２０のレール部分２０ｅとガイド板７０の切欠７０ａと副レール７０に沿って自由に走行する。
【００４７】
開き位置にある引戸３は、左右方向に移動させて開き準備位置に戻した後、後方へ押し込むことにより閉じ位置に戻すことができる。上述したように回動リンク５０のレール部分５１は固定リンク３９と同軸をなして係止されているので、引戸３が開き準備位置に戻る際に、引戸３の走行体１５を受け止めることができる。なお、引戸３が開き準備位置に達すると、維持手段６０のスライダ６２の先端縁が支持金具１０に押されて係合面１０ａに嵌ることにより、引戸３の位置決めを行うとともに、回動リンク５０のロック状態を解除する。
【００４８】
本実施形態のように引戸３が３枚以上装備されている場合、１枚の引戸３が開き位置にある時、もう１枚の引戸３も同様にして閉じ位置から開き準備位置へ、開き準備位置から開き位置へと移動させることができる。そのため、２枚の引戸３を最初の位置と入れ替えることもできる。
【００４９】
本実施形態では、引戸３を単位にして種々の構成要素すなわち支持金具１０，２０、回動リンク５０，支持金具３０，パイプ３５を揃えることにより、種々の長さのパーティションを簡単に形成することができる。なお、パーティションの左右端に位置する短い副レール７０と、この副レール７０に固定されたガイド板７２は省いてもよい。この場合、両端の引戸３は閉じ位置から開き準備位置まで移動する過程で、１枚のガイド板７２によって案内される。
【００５０】
次に、本発明の他の実施形態について説明する。これら実施形態において先行して説明した実施形態に対応する構成部には同番号を付してその詳細な説明を省略する。
図１６に示す第２の実施形態では、固定レール３９は第１実施形態のように各開口部２ｘの上縁部中央部ではなく、隣接する開口部２ｘに跨って配置されている。各引戸３の一対の支持金具１０は引戸３の左右端部から離れ、中央寄りに配置されている。第１実施形態と同様の形状をなす左右の回動リンクも支持金具１０に対応した位置に配置されている。左右の回動リンクのレール部分５１’（第１実施形態のレール部分５１に相当する）とこれらレール部分５１’間に連結されたパイプ１５１は、長い補助軌道を形成している。また、左右の支持金具１０のレール部分１１’（第１実施形態のレール部分１１に相当する）とこれらレール部分１１’間に連結されたパイプ１１１は、長い付加軌道を形成されている。他の構成は第１実施形態と同様である。第２実施形態では、固定レール３９の数が第１実施形態より少ない。
【００５１】
図１７に示す第３の実施形態では、第１，第２実施形態の固定レール３９が省かれている。その代わりに、支持レール１５１，レール部分１１１が長く、引戸３の幅と同程度となっている。この実施形態では、１枚の引戸が開き動作する際、残りの閉じ状態の引戸の付加軌道のみで、この開き動作する引戸のための主軌道を構築することになる。
【００５２】
図１８に示す第４の実施形態は、家屋の窓に適用される１枚の引戸を備えた開閉装置であり、基本構造は第１実施形態と似ている。窓となる開口部２ｘを囲むフレーム１の上下の枠部１ｃ，１ｄは、開口部２ｘから左右いずれかに延びている。上枠部１ｃの開口部２ｘの真上には第１実施形態と同様に固定レール３９が設置されており、その左右端に隣接して一対の回動リンクが設置されている。さらに上枠部１ｃにおいて、開口部２ｘから延長された部分には他の固定レール３９が設置されている。
【００５３】
他方、下枠部１ｄには、開口部２ｘの途中から延長部の途中まで延びる副レール７０が固定されている。副レール７０の両端にはガイド板７２が固定されている。引戸３およびこの引戸３に取り付けられる構成要素は第１実施形態と同様であるが、付加軌道はない。この実施形態でも、引戸３は閉じ位置と開き準備位置で前後方向の移動する。この開閉装置は、例えばフレーム１への引戸３の密着により家屋の気密性を高める場合に利用できる。また、引戸を開き位置で戸袋内に収容し、閉じ状態で引戸を戸袋と面一にする開閉装置にも適用できる。
【００５４】
図１９に示す第５の実施形態も、家屋の窓に適用される１枚の引戸を備えた開閉装置である。この実施形態の基本構造は、図１６の第２実施形態と似ている。上述した全ての実施形態では、引戸３の荷重を上枠部１ｃに設置した回動リンク５０や固定レールで担い、引戸３を吊り下げ支持しているので、引戸３の下縁部の支持金具２０や副レール７０等を省くこともできる。
【００５５】
図２０に示す第６実施形態では、引戸３に装着される金具１０、２０および引戸３を支持する構成要素の配置が第１実施形態と上下逆になっている。この実施形態では、引戸３の下縁部に固定された支持金具１０のローラ１６が回動リンク５０のレール部分５１や固定レール３９に乗ることにより、引戸３の荷重が受け止められている。引戸３は閉じ位置から開き準備位置へと向かう過程で、上方に移動する。他の構成および作用は第１実施形態と同様であるから説明を省略する。
なお、図１６〜図１９に示す第２〜第５実施形態でも構成要素を上下逆にすることができる。
【００５６】
次に、第７実施形態について図２１〜図３０を参照しながら説明する。まず、図２１〜図２５を参照しながら引戸案内装置の下部構造について説明する。図２１〜図２３に示すように、下枠部１ｄの下面には、各開口部２ｘ毎にほぼ開口部２ｘの幅寸法だけ離れた左右１対の支持金具８０（片方のみ示す）が固定されている。この支持金具８０は、下縁から水平に延びる荷重受部８０ａを有している。なお、隣接する開口部２ｘの支持金具８０は、背中合わせで隣接している。
【００５７】
一対の支持金具８０の前側の下端部間には、回動軸８０ｂを介して押出型材からなる回動レール８１（回動部材，主ガイド手段）の一端が回動可能に支持されている。この回動レール８１は、幅広の細長い板形状をなし、平行をなす２つの平坦面８１ａ，８１ｂを有しており、その長さは開口部２ｘの幅寸法，すなわち引戸３の幅寸法とほぼ等しい。回動レール８１は後方の水平倒れ位置（第１回動位置）と前方の起立位置（第２回動位置）との間で、ほぼ９０°の角度範囲で回動可能となっている。回動レール８１の水平倒れ位置は、回動レール８１が上記支持金具８０の荷重受部８０ａの上面に当たることによって維持される。
【００５８】
上記回動レール８１の他方の面８１ｂには、その幅方向中央にガイド溝８２が形成されているいる。このガイド溝８２は、水平倒れ位置で上部が開放されており、その開口縁には互いに向き合う一対の突条８２ｘが形成されている。ガイド溝８２は、幅広の底面８２ａと、その両側の幅の狭い第２面８２ｂ，第３面８２ｃと、突条８２ｘの内側の第４面８２ｄとを有している。本実施形態では、第１面８２ａが支持面として提供され、回動中心に近い第２面８２ｂが補助軌道として提供される。また、回動レール８１の平坦面８１ｂのうち回動軸０ｂに近い面部分は、付加軌道８１ｘとして提供される。
【００５９】
上記回動レール８１の回動軸６０ｂ側の端部には、上記付加軌道８１ｘから突出する規制壁８１ｙと、この規制壁８１ｙと直交して付加軌道８１ｘの反対側に突出する係止部８１ｚとが形成されている。図２２に示すように回動レール８１が起立位置にある時、この係止部８１ｚが荷重受部８１ａの前縁に当たることにより、回動レール８１は前方への倒れを防止されている。
【００６０】
回動レール８１が起立位置にある時、後方への倒れは図２４に示す維持手段８３によって防止されるようになっている。なお、この維持手段８３は回動レール８１の長手方向の一端側において、回動レール８１の自由端近傍に設けられている。維持手段８３は、回動レール８１の一端に嵌め込まれたホルダケース８３ａと、このホルダケース８３ａの開口端に配置されたボール８３ｂと、ホルダケース８３ａに収容されボール８３ｂを支持金具８０の側壁に向かって押すコイルバネ８３ｃと、支持金具８０の側壁に形成され、球面をなす凹部８３ｄとを有している。回動レール８１が起立位置にある時、ボール８３ｂがこの凹部８３ｄに嵌り、回動レール８１を起立位置で保持する。
【００６１】
上記回動レール８１には、さらに図２１，図２４に示す位置決め手段８４が設けられている。この位置決め手段８４は、引戸３が開き位置から開き準備位置へと戻る際の位置決めを行うものであり、断面Ｌ字形をなすホルダ８４ａと、移動部材８４ｂとを有している。ホルダ８４ａの第１片は固定具８４ｅにより回動レール８１の自由端に固定され、ホルダ８４ａの第２片と回動部材８１の平坦面８１ｂとの間に、上記移動部材８４ｂが配置されている。ホルダ８４ａの第２片には左右一対のピン８４ｃが固定されている。
【００６２】
上記移動部材８４ｂは、左右に一対の長穴８４ｈを有している。各長穴８４ｈは円弧形状をなし、他方の長穴８４ｈの端部（図２４に示すように回動レール８１の起立状態での上端部）を中心とする円弧を描く。この長穴８４ｈに上記ピン８４ｃが挿入されている。これにより、移動部材８４ｂは揺動および上下動可能となっている。上記移動部材８４ｂは、ホルダ８４ａの第１片を向く面に穴を有し、この穴に上記コイルバネ８４ｄが収容されている。このコイルバネ８４ｄにより移動部材８４ｂはホルダ８４ａの第１片から遠ざかる方向に付勢されている。移動部材８４ｂは、上記ホルダ８４ａの第１片の反対側の面において、左右の傾斜したガイド面８４ｘと、中央の円弧形状の係合面８４ｙとを有している。この位置決め手段８４の作用は後述する。
【００６３】
他方、引戸３の下端部後面には、左右両端に一対の支持金具８５が固定されている。これら支持金具８５の後端には補助ローラ８９が回転可能に支持されている。一対の支持金具８５間には、断面ほぼＺ字形の細長い押出型材からなる支持ブラケット８６（走行体支持ブラケット）がその基端部を回動軸８６ａを介して回動可能にして連結されている。支持ブラケット８６の回動軸線は、回動レール８１の回動軸線と平行をなし、左右に水平に延びている。支持ブラケット８６は互いに直角をなす先端側の第１片８６ｘと中間の第２片８６ｙと、第１片８６ｘと平行をなす基端側の第３片８６ｚとを有しており、ねじりバネ８７（付勢手段）により時計回り方向に付勢されている。ねじりバネ８７は、上記回動軸８６ａに巻回され、一端が支持金具８５に固定されたピン８７ａに引掛けられ、他端が支持ブラケット８６の第２片８６ｙに引掛けられている。
上記支持ブラケット８６の第１片８６ｘには、円盤形状のローラ８８（主走行体）が第１片８６ｘと直交する支持軸８８ａを介して回転可能に支持されている。
【００６４】
次に、第７実施形態の上部構造について図２６〜図３０を参照しながら説明する。この上部構造は、第１実施形態の下部構造，第６実施形態の上部構造と似ているので、簡単に説明する。引戸３の上縁部の例えば右端部の後面に、支持金具１２０（走行体支持部材）が固定されている。この支持金具１２０は、引戸３の後面に固定されて上方に突出する垂直の固定部１２０ａと、この固定部１２０ａの上端から後方へ水平に突出する水平部１２０ｂと、この水平部１２０ｂの後端から起立する起立部１２０ｃ（垂直部）とこの起立部１２０ｃの上端から左右に突出する一対の突起１２０ｄを有している。この支持金具１２０の固定部１２０ａの前面には、支持金具１２０の一部となるレール部材１２０ｅが固定されており、このレール部材２０ｅには案内溝１２０ｆが形成されている。この案内溝１２０ｆの上部には狭い空間１２０ｇが形成されている。
上記支持金具１２０の水平部１２０ｂの上面には垂直の回転軸を有するローラ１２５（副走行体）が回転可能に取り付けられている。これら支持金具１２０とローラ１２５により、被案内部材が構成されている。
【００６５】
上記フレーム１の上枠部１ｃの上面には、各開口１ｘに右端部の位置に一対の支持金具１７１が固定されている。これら支持金具１７１の互いの対向面には、それぞれガイド板１７２（ガイド部材，副ガイド手段）が固定されている。図２７に最も良く示されているように、このガイド板１７２の対向面（ガイド面）には、前方に向かうにしたがって下方に進む直線状の傾斜溝１７２ｂ（ガイド溝の傾斜部）が形成されている。この傾斜溝１７２ｂの上端は上方に延びる短い垂直溝１７２ａ（ガイド溝の垂直部）に連なり、下端は垂直に延びる短い切欠１７２ｃに連なっている。この切欠１７２ｃはガイド板１７２の下縁に抜けている。
【００６６】
上記各開口部２ｘに対応して副レール１７０が配置されている。合計４本の副レール１７０は一直線をなして左右に延びている。この副レール１７０は、引戸３の幅寸法から上記一対の支持金具１７１間の間隔分を差し引いた長さを有しており、支持金具１７１間に掛け渡されるようにして固定されている。副レール１７０は、図２８に示すように下面に開口する案内溝１７０ａ（副軌道）を有している。案内溝１７０ａの両側面は垂直をなしている。案内溝１７０ａの上方には狭い空間１７０ｂが形成されている。これら案内溝１７０ａ，空間１７０ｂは、引戸３の支持金具１２０の案内溝１２０ｆ及び空間１２０ｇと同形状をなしている。
【００６７】
次に、上記第７実施形態の案内装置の作用について説明する。複数例えば４つの開口部２ｘの全てが対応する引戸３によって閉じられた状態では、第１実施形態と同様に引戸３の前面が面一をなしている。
【００６８】
引戸３が閉じ位置にある時、図２１に示すように回動レール８１が水平倒れ位置にあり、下側のローラ８８は倒れていて回動レール８１のガイド溝８２に収容され、その側面が第１面８２ａ（支持面）に当たるようにして乗っており、これにより引戸３の自重を支持している。ねじりバネ８７の弾性力により、支持ブラケット８６に回動トルクは付与されており、この回動トルクは引戸３を閉じ位置に向かって付勢するように働くため、引戸３の閉じ位置が維持されている。
【００６９】
引戸３が閉じ位置にある時、回動レール８１の付加軌道８１ｘと起立壁８１ｙと、支持ブラケット８６の第２片８６ｙおよび第３片８６ｚにより、他の引戸３のローラ８８が走行可能な空間１８０が形成される。
全ての引戸３が閉じた状態では、全ての回動レール８１の付加軌道８１ｘが一直線をなす連続軌道を構築している。
【００７０】
他方、引戸３が閉じ位置にある時、図２６，図２９に示すように、引戸３の上縁部の右端部に設けられた支持金具１２０は、一対のガイド板１７２間に収容されている。支持金具１２０の左右の突起１２０ｄは一対のガイド板１７２の垂直溝傾斜溝１７２ａに位置しており、前後方向の移動を禁じられている。また、支持金具１２０の案内溝１２０ｆは、僅かな間隙を介して副レール１７０の案内溝１７０ａに連なっている。
【００７１】
次に、選択した１つの引戸３の開き動作について説明する。引戸３を把手を掴んで前方の開き準備位置へ引き出す。この際、引戸３のローラ８８と回動レール８１のガイド溝８２の係合を介し、回動レール８１が前方へ回動され、垂直起立位置となる。この際、支持ブラケット８６はねじりバネ８６に抗して９０°回動するので、ローラ８８が倒れた状態から起立するのを許容する。上記回動レール８１の回動に伴って、回動レール８１の補助軌道８１ｘが連続軌道から外れ、その代わりに回動レール８１の補助軌道８２ｂが連続軌道の一部となる。また、ローラ１５はその周面が回動レール８１の補助軌道８２ｂに当たるようにして補助軌道８２ｂに乗る。
【００７２】
引戸３が閉じ位置から開き準備位置に至る過程の特定点で、ねじりバネ８７によるトルクを引戸３の自重によるトルクが上回り、引戸３は開き準備位置まで自重で移動することができる。図２２に示すように、回動レール８１の係止部８１ｚが支持金具８０の荷重受部８０ａに当たることにより、引戸２は開き準備位置で停止する。
【００７３】
引戸３が閉じ位置から開き準備位置まで回動レール８１に支持されながら移動する際、下方にも変位する。これに伴い、案内装置の上部構造では、支持金具１２０の突起１２０ｄがガイド板１７２の傾斜溝１７２ｂに沿って斜め前方へと移動し、切欠７２ｃに達する。このようにして、引戸３は上縁部も安定して開き準備位置まで移動できる。引戸３が開き準備位置に達し、支持金具１２０の突起１２０ｄが切欠１７２ｃに入り込んだ時に、支持金具１２０のローラ１２５は、副レール１７０の案内溝１７０ａに対応する位置にある。
【００７４】
次に、引戸３を開き準備位置から左右いずれかの開き位置へと移動させる。この際、支持金具８１のローラ８８は、回動レール８１の補助軌道５１ｘから離れ、図２３に示すように隣の引戸３に対応する回動レール８１の付加軌道８１ｘに乗り移る。このことから明らかなように、閉じ状態の引戸３の付加軌道１１ｘにより、開き動作する引戸３のための主軌道が構成されている。図２３に示すように、開き動作する引戸３のローラ８８は、閉じ状態の引戸３の支持ブラケット８６と回動レール８１とで構成された空間１８０を走行する。補助ロ―ラ８９は、回動レール８１の規制壁８１ｙ，係止部８１ｚにより案内される。
【００７５】
引戸３が開き動作する際、図２９に示すように、引戸３のローラ１２５は、副レール１７０の案内溝１７０ａおよび閉じ状態の引戸３の支持金具１２０の案内溝１２０ｆを通る。また、開き動作する引戸３の支持金具１２０の起立部１２０ｃは、副レール１７０の空間１７０ｂおよび閉じ状態の引戸３の支持金具１２０の空間１２０ｇを通る。
図２３，図２９に示すように、開かれた引戸３は、他の閉じ状態の引戸３に重なる。
【００７６】
引戸３が開き位置に去った時に残された回動レール８１は、前述したように維持手段８３により起立状態を維持される。引戸３が開き位置から再び開き準備位置に戻ってきた時には、位置決め手段８４で位置決めする。詳述すると、引戸３が例えば右から開き準備位置に戻ってくる時には、ローラ８８の支持軸８８ｘが位置決め手段８４の移動部材８４ｂの右側の傾斜したガイド面８４ｘに当たり、この移動部材８４ｂを右側が上がるように傾かせる。さらに引戸３が移動するとローラ８８が移動部材８４ｂの係止面８４ｙに入り込み、引戸３を開き準備位置に位置決めする。この後で、引戸３を後方へ押し込むことにより、支持ブラケット８６および回動レール８１がそれぞれ９０°回り、図２１の状態に戻る。なお、引戸３を閉じ位置に戻す際に、引戸３の自重からねじりバネ８７の弾性力を差し引いた力で、軽く持ち上げる必要があるが、途中からは、ねじりバネ８７の力で自動的に閉じ位置に達する。
他の作用は、前述した他の実施形態と同様である。
【００７７】
次に、本発明の第８実施形態について図面を参照しながら説明する。この実施形態では、第７実施形態の上部構造と下部構造を上下逆に配置したものであり、対応する構成部には図中第７実施形態と同じ番号を付する。引戸３は閉じ位置から開き準備位置へと移動する過程で上方へ移動する。これに伴い、図３３，３４に示すように、ガイド板１７２の傾斜溝１７２ｂは前方に進むにしたがって上方に向かうように傾斜している。第７実施形態と大きく異なるのは次の点である。図３１に示すように、引戸３が閉じ位置にある時、倒れ状態のローラ８８の側面がガイド溝８２の第４面８２ｄに当たる。すなわち、この第４面８２ｄが引戸３を支持する支持面として提供される。図３２に示すように、引戸３が開き準備位置にある時、起立状態のローラ８８は回動レール８１のガイド溝８２において回動中心から遠い第３面８２ｃに乗る。すなわち、この第３面８２ｃが補助軌道として提供される。
また本実施形態では、閉じ状態の引戸３の支持ブラケット８６の第３片８６ｚが、開き動作する他の引戸３を乗せるための付加軌道として提供される。
【００７８】
第８実施形態では、閉じ位置を維持するため、第７実施形態のねじりバネ８７の代わりに、図３５に示す付勢手段２００が用いられる。この付勢手段２００は、一対のカム２０１，２０２と、圧縮コイルスプリング２０３と、シャフト２０４と、一対のブラケット２０５，２０６とを備えている。一方のブラケット２０５は引戸３の後面に固定され、このブラケット２０５に一方のカム２０１が固定されている。他方のブラケット２０６はローラ８８を支持するための支持ブラケット８６の第３片８６ｚに固定される。上記シャフト２０４の右側部は、上記ブラケット２０５およびカム２０１に回動可能に挿入支持されている。シャフト２０４の左側部の周面には軸方向に延びるキー２０４ａを有しており、上記ブラケット２０６およびカム２０２に回動不能に挿入支持されている。支持ブラケット８６の回動軸８６ａと同一直線上に配置されている。
【００７９】
上記コイルスプリング２０３は、上記カム２０２とブラケット２０６との間に介在されており、カム２０２をカム２０１に向かって付勢している。上記カム２０１，２０２の互いに対向する端面は図３６に示すカム面２０１ａ，２０２ａとなっており、コイルスプリング２０３の力で互いに接している。カム２０１のカム面２０１ａは２つの山部２０１ｘを有しており、カム２０２のカム面２０２ａも２つの山部２０２ｘを有している。
【００８０】
引戸３が閉じた状態では、図３６（Ａ）に示すように、カム２０２の山部２０２ｘがカム２０１の山部２０１ｘの一方の傾斜面に当たり、これにより、コイルスプリング２０３の力がカム２０２に一方向の回転トルクＦｂに変換される。この回転トルクＦｂは、引戸３を後方へ付勢する力となって働く。これにより引戸３の閉じ位置が安定して維持される。
【００８１】
引戸３を閉じ位置から開き準備位置まで引出す際に支持ブラケット８６が回動し、これに伴いカム２０２がカム２０１に対して相対的に回動し、所定角度（例えば２０°）回動した時に山部２０２ｘが山部２０１ｘを超えてこの山部２０１ｘの他方の傾斜面に当たることになる。その結果、図３６（Ｂ）に示すように閉じ状態の時とは反対の回転トルクＦｂが働くことになる。この回転トルクＦｂは引戸３をその自重に抗して上方へ（開き準備位置へ）と向かわせる力となって働く。その結果、引戸３は開き準備位置で安定して維持される。
【００８２】
上記第７，第８実施形態の構造は、１枚の引戸を開閉するために用いてもよい。この場合、主レールとして固定レールが用いられる。
上述した全ての実施形態は、家屋，天袋，家具，大型冷蔵庫等の開口部を開閉する装置に適用することもできる。複数の引戸に対応する開口部は互いに仕切られていてもよい。
引戸の開き準備位置は、閉じ位置の後方にあってもよい。この場合、引戸を押出すことにより、閉じ位置から開き準備位置にする。
上記連続軌道は、大きな曲率の円弧をなしていてもよい。この場合、引戸はレールに対応して横断面が円弧をなすのが好ましい。
引戸に取り付けられる走行体はローラの代わりにスライダを用いてもよい。
本発明を、窓を開閉するための１枚の引戸を案内するために用いる場合、閉じ位置で戸袋と面一にし、開き位置で戸袋内に収容する構造とすることもできる。
本発明は、開口部を開閉する引戸のみならず、壁面に支持されるパネル（板状対象物）の移動にも適用することができる。
主ガイド手段は、回動リンクの代わりに本体に前後にスライド可能に支持されたスライダを用いてもよい。この場合、ガイド板７２のガイド溝は水平になる。
副ガイド手段およびこの副ガイド手段に案内される副走行体は各引戸に複数あってもよいし、１つの場合に引戸の中央から偏った位置にあってもよい。
副ガイド手段に突起を形成し、被案内部材にガイド溝を形成してもよい。
上述した実施形態の特徴は、適宜組み合わせることができる。
【００８３】
【発明の効果】
以上説明したように本発明によれば、板状対象物の案内装置の構造を簡略化することができる。
【図面の簡単な説明】
【図１】本発明の一実施形態の引戸案内装置を組み込んだパーティションの正面図であり、（Ａ）は全ての引戸を閉じた状態、（Ｂ）は１つの引戸を閉じ位置から開き準備位置へと引出した状態、（Ｃ）は引戸を開き準備位置から開き位置に向かって移動させている状態をそれぞれ示す。
【図２】（Ａ）は図１（Ａ）においてＩＩａ−ＩＩａ線に沿う縦断面図であり、（Ｂ）は図１（Ｂ）においてＩＩｂ−ＩＩｂ線に沿う縦断面図である。
【図３】（Ａ）は引戸の背面図、（Ｂ）は引戸の側面図である。
【図４】同案内装置の上部構造を拡大して示す斜視図である。
【図５】引戸が閉じ位置にある時の案内装置の上部構造の拡大正面図である。
【図６】引戸が開き準備位置にある時の案内装置の上部構造の拡大正面図である。
【図７】同案内装置の上部構造の拡大側面図であり、（Ａ）は引戸が閉じ位置にある時、（Ｂ）は引戸が開き準備位置にある時の状態をそれぞれ示す。
【図８】同案内装置の本体側の支持金具の拡大側面図である。
【図９】同案内装置の回動リンクの拡大縦断面図である。
【図１０】同案内装置の引戸側の支持金具を拡大して示すものであり、（Ａ）は背面図、（Ｂ）は側面図である。
【図１１】同案内装置の回動リンクの維持手段を示す拡大平面図であり、（Ａ）は回動リンクが引戸の閉じ位置に対応した第１回動位置にある時の状態、（Ｂ）は回動リンクが引戸の開き準備位置に対応した第２回動位置にある時の状態、（Ｃ）は引戸が開き準備位置から開き位置へと移動し、回動リンクが第２回動位置を維持されている状態を示す。
【図１２】上記維持手段を含む構成要素を分解して示す拡大平面図である。
【図１３】同案内装置の下部構造を示す断面図であり、（Ａ）は引戸が閉じ位置にある時、（Ｂ）は引戸が開き準備位置にある時の状態をそれぞれ示す。
【図１４】（Ａ）は下部構造の副レールを示す拡大側面図、（Ｂ）は下部構造のガイド板を示す拡大側面図、（Ｃ）は、下部構造の支持金具を示す拡大側面図である。
【図１５】上記下部構造の支持金具の平面図である。
【図１６】本発明の第２の実施形態を示す正面図である。
【図１７】本発明の第３の実施形態を示す正面図である。
【図１８】本発明の第４の実施形態を示す正面図である。
【図１９】本発明の第５の実施形態を示す正面図である。
【図２０】本発明の第６の実施形態に係わる引戸案内装置の縦断面図であり、（Ａ）は引戸が閉じ位置にある状態を示し、（Ｂ）は引戸が開き準備位置にある状態を示す。
【図２１】本発明の第７の実施形態を示す引戸案内装置の下部構造の縦断面図であり、引戸が閉じ位置にある状態を示す。
【図２２】第７実施形態の引戸案内装置の下部構造の縦断面図であり、引戸が開き準備位置にある状態を示す。
【図２３】第７実施形態の引戸案内装置の下部構造の縦断面図であり、引戸が他の閉じ位置にある引戸に重なった開き位置にある状態を示す。
【図２４】第７実施形態で用いられる回動レールの維持手段を示す横断面図である。
【図２５】第７実施形態で用いられる位置決め手段の正面図である。
【図２６】第７実施形態の引戸案内装置の上部構造の縦断面図であり、引戸が閉じ位置にある状態を示す。
【図２７】第７実施形態の引戸案内装置の上部構造の縦断面図であり、引戸が開き準備位置にある状態を示す。
【図２８】第７実施形態の引戸案内装置の下部構造の縦断面図であり、引戸が閉じ位置にある他の引戸に重なった開き位置にある状態を示す。
【図２９】第７実施形態の引戸案内装置の上部構造の正面図であり、引戸が閉じ位置にある状態を示す。
【図３０】第７実施形態の引戸案内装置の上部構造の正面図であり、引戸が開き準備位置にある状態を示す。
【図３１】第８実施形態の引戸案内装置の上部構造の縦断面図であり、引戸が閉じ位置にある状態を示す。
【図３２】第８実施形態の引戸案内装置の上部構造の縦断面図であり、引戸が開き準備位置にある状態を示す。
【図３３】第８実施形態の引戸案内装置の下部構造の縦断面図であり、引戸が閉じ位置にある状態を示す。
【図３４】第８実施形態の引戸案内装置の下部構造の縦断面図であり、引戸が開き準備位置にある状態を示す。
【図３５】第８実施形態で用いられる付勢手段の横断面図である。
【図３６】同付勢手段の２つのカムのカム面を展開して示す図である。
【符号の説明】
１  フレーム（本体）
２ｘ  開口部
３  引戸（板状対象物）
１５，１６  ローラ（主走行体）
２０，１２０  支持金具（走行体支持部材）
２０ｄ，１２０ｄ  突起
２０ｃ、１２０ｃ  起立部（垂直部）
２０ｅ，１２０ｅ  レール部分
２５，１２５  ローラ（副走行体）
５０  回動リンク（主ガイド手段）
７０  副レール
７０ａ  案内溝
７２，１７２  ガイド板（ガイド部材，副ガイド手段）
７２ｘ  ガイド面
１７２ａ  ガイド溝の垂直部
７２ｂ，１７２ｂ  ガイド溝の傾斜部
７２ｃ，１７２ｃ  切欠
８１  回動レール（主ガイド手段）
８８  ローラ（主走行体）
【図１】
2004332352.tif 000003
【図２】
2004332352.tif 000004
【図３】
2004332352.tif 000005
【図４】
2004332352.tif 000006
【図５】
2004332352.tif 000007
【図６】
2004332352.tif 000008
【図７】
2004332352.tif 000009
【図８】
2004332352.tif 000010
【図９】
2004332352.tif 000011
【図１０】
2004332352.tif 000012
【図１１】
2004332352.tif 000013
【図１２】
2004332352.tif 000014
【図１３】
2004332352.tif 000015
【図１４】
2004332352.tif 000016
【図１５】
2004332352.tif 000017
【図１６】
2004332352.tif 000018
【図１７】
2004332352.tif 000019
【図１８】
2004332352.tif 000020
【図１９】
2004332352.tif 000021
【図２０】
2004332352.tif 000022
【図２１】
2004332352.tif 000023
【図２２】
2004332352.tif 000024
【図２３】
2004332352.tif 000025
【図２４】
2004332352.tif 000026
【図２５】
2004332352.tif 000027
【図２６】
2004332352.tif 000028
【図２７】
2004332352.tif 000029
【図２８】
2004332352.tif 000030
【図２９】
2004332352.tif 000031
【図３０】
2004332352.tif 000032
【図３１】
2004332352.tif 000033
【図３２】
2004332352.tif 000034
【図３３】
2004332352.tif 000035
【図３４】
2004332352.tif 000036
【図３５】
2004332352.tif 000037
【図３６】
2004332352.tif 000038